(57)【要約】【課題】余長配線を収容する収容空間をより一層狭小スペースとし床下への熱ロスを低減できる床暖房パネルを提供する。【解決手段】面状ヒータ３と、面状ヒータの下方に敷設される真空断熱材４と、隣り合う床暖房パネルと電気的に接続するための配線５とを備えた床暖房パネル１であって、前記配線は、該配線を収容し前記凹所の一部を構成する収容空間７から出し入れ自在とする余長部分を有しており、前記収容空間内は、前記配線を前記パネル材の端面に設けられた開口部６方向に湾曲させる余長吸収部材８０を有した余長吸収空間８と、前記開口部に連通し前記配線の余長部分が収容される余長収容空間９とを備え、前記余長吸収部材は、前記真空断熱材と隣接して設けられていることを特徴とする。【選択図】図１
2012026679.tif 000002
【特許請求の範囲】
【請求項１】
面状ヒータと、該面状ヒータの下方に敷設される真空断熱材と、隣り合う床暖房パネルと電気的に接続するための配線とがパネル材の裏面に設けられた凹所に収容された床暖房パネルであって、
前記配線は、該配線を収容し前記凹所の一部を構成する収容空間から出し入れ自在とする余長部分を有しており、
前記収容空間内は、前記配線を前記パネル材の端面に設けられた開口部方向に湾曲させる余長吸収部材を有した余長吸収空間と、前記開口部に連通し前記配線の余長部分が収容される余長収容空間とを備え、前記余長吸収部材は、前記真空断熱材と隣接して設けられていることを特徴とする床暖房パネル。
【請求項２】
請求項１において、
前記パネル材は略長方形状からなり、前記開口部が短手方向の端面隅部に形成され、前記パネル材の中央を長手方向に沿って配設された配線は、前記余長吸収部材によって前記開口部側に向かって湾曲した後、前記余長収容空間に引き込まれ、前記開口部から出し入れ自在に構成されていることを特徴とする床暖房パネル。
【請求項３】
請求項１又は請求項２において、
前記余長吸収部材は、不織布からなることを特徴とする床暖房パネル。
【発明の詳細な説明】
【技術分野】
【０００１】
本発明は、一般住宅や集合住宅などに用いられる床暖房パネルに関する。
【背景技術】
【０００２】
従来より、面状ヒータと、面状ヒータの下方に敷設される断熱材と、隣り合う床暖房パネルと電気的に接続するための配線とがパネル材の裏面に設けられた凹所に収容された床暖房パネルが知られている。
【０００３】
下記特許文献１には、上述のような床暖房パネルが開示されており、ここには、縦長板状の床暖房パネルにおいて、縦つなぎコネクタから配線具が収容される縦つなぎコネクタ収容部に至る連結溝部を備えたものが記載されている。
ここに記載されている連結溝部は、縦つなぎコネクタ収容部から連なる部分を床材中心側方向に略半円状に膨出させ、膨出部分から連続形成されるとともに膨出部分と略同形状の反転形状に形成される縮小部分とを備えている。
これによれば、縦つなぎコネクタの挿抜に伴いコードを連結溝部内で摺動させるように構成しているので、配線接続時に床暖房パネルから配線材を引き出した後、容易に配線材を元に戻すことができる。
【先行技術文献】
【特許文献】
【０００４】
【特許文献１】特許第４０９６３７号公報
【発明の概要】
【発明が解決しようとする課題】
【０００５】
上述のように、複数の隣り合う床暖房パネルを電気的に接続するための配線は、施工時にコネクタを引き出せるように余長部分を有するように長く設けられている。
従って、スムーズに配線を出し入れできる構造が求められるが、余長部分を収容する空間を大きく確保すると、断熱材を設置するスペースが侵食され、床下への熱ロスが大きくなってしまい、結果として床表面の温度が低くなってしまう。これでは、床暖房パネルとして表面温度の低い範囲が広くなり、快適さを損ねる要因となる。またランニングコストが低下するなどの影響も与える。
上記特許文献１に記載のものは、連結溝部の形状に配線を摺動させる構成としているが、連結溝部が床材中心側方向に略半円状に膨出した形状に形成されているので断熱材の設置スペースを少なからず侵食してしまう。
【０００６】
本発明は、上記実情に鑑みてなされたものであり、余長配線を収容する収容空間をより一層狭小スペースとし床下への熱ロスを低減できる床暖房パネルを提供することを目的としている。
【課題を解決するための手段】
【０００７】
上記目的を達成するために、本発明に係る床暖房パネルは、面状ヒータと、該面状ヒータの下方に敷設される真空断熱材と、隣り合う床暖房パネルと電気的に接続するための配線とがパネル材の裏面に設けられた凹所に収容された床暖房パネルであって、前記配線は、該配線を収容し前記凹所の一部を構成する収容空間から出し入れ自在とする余長部分を有しており、前記収容空間内は、前記配線を前記パネル材の端面に設けられた開口部方向に湾曲させる余長吸収部材を有した余長吸収空間と、前記開口部に連通し前記配線の余長部分が収容される余長収容空間とを備え、前記余長吸収部材は、前記真空断熱材と隣接して設けられていることを特徴とする。
【０００８】
また本発明において、前記パネル材は略長方形状からなり、前記開口部が短手方向の端面隅部に形成され、前記パネル材の長手方向中央に沿って配設された配線は、前記余長吸収部材によって前記開口部側に向かって湾曲した後、前記余長収容空間に引き込まれ、前記開口部から出し入れ自在に構成されているものとしてもよい。
さらに本発明において、前記余長吸収部材は、不織布からなるものとしてもよい。
【発明の効果】
【０００９】
本発明に係る床暖房パネルは、配線を余長吸収部材によって開口部側に向かって湾曲させた状態で収容することができるので、余長配線を収容する収容空間をより一層狭小スペースとし床下への熱ロスを低減できる。
【図面の簡単な説明】
【００１０】
【図１】本発明の一実施形態に係る床暖房パネルを説明するための模式的要部横断面図であり、図２のＹ−Ｙ線断面図である。
【図２】同床暖房パネルの模式的縦断面図であり、図１のＸ−Ｘ線断面図である。
【図３】（ａ）及び（ｂ）は同床暖房パネルの裏面側平面図であり、（ａ）は配線が収容空間に収容されている状態、（ｂ）は配線が収容空間から引き出された状態を示している。
【発明を実施するための形態】
【００１１】
以下に本発明の実施の形態について、図面に基づいて説明する。
本実施形態に係る床暖房パネル１は、パネル材２の裏面に凹所２０が形成されており、そこに面状ヒータ３と、面状ヒータ３の下方に敷設される真空断熱材４と、隣り合う床暖房パネル１と電気的に接続するための配線５とが収容されている。配線５は、配線５を収容し凹所２０の一部を構成する収容空間７から出し入れ自在に構成されるとともに余長部分を有している。収容空間７内は、配線５をパネル材２の端面に設けられた開口部６方向に向かって湾曲させる余長吸収部材８０を有した余長吸収空間８と、開口部６に連通し配線５の余長部分が収容される余長収容空間９とを備え、余長吸収部材８０は、真空断熱材４と隣接して設けられている。
なお、ここでは、床暖房パネル１の長手方向を縦、短手方向を横として説明し、ここでいう配線５は、縦方向に隣り合って敷設される床暖房パネルに接続される縦送り配線について説明する。
【００１２】
図に示す床暖房パネル１のパネル材２は、木質系基材等からなり長方形状の平板体で構成され、その表面には樹脂材製などからなる薄状の化粧シートが貼着されている。
パネル材２の長手方向両端部には、断面視して凹状の雌実２２ａと断面視して凸状の雄実２２ｂとが形成されており、床暖房パネル１が床下地材などの上に並べて敷設されたときには、隣り合う床暖房パネル１同士が実結合されるように構成されている。従って、床下地材などの上に複数の床暖房パネル１を隙間なく敷き詰めることができる。
【００１３】
パネル材２の裏面は凹所２０が掘削されたように形成されており、この凹所２０は面状ヒータ３や真空断熱材４を収容できる深さに形成される。
従ってパネル材２の四周は立壁部２２になっており、パネル材２の短手方向の端面隅部には、開口部６が形成されている。
開口部６は、短手方向の立壁部２２の一部を貫いて開口して形成され、収容空間７と連通するように形成されている。その大きさは、配線コード５１の先端に設けられたコネクタ５０が開口部６から出し入れ可能な大きさに形成されていればよい。
【００１４】
パネル材２の背面、すなわち床下地材に設置される面は、薄板体からなる裏板１１が設けられ、凹所２０を塞ぐように設けられている。裏板１１の開口部６近傍部位は、コネクタ５０を収容空間７から露出させ配線５の出し入れがしやすいように切欠部１１ａが形成されている。
なお、図には、この切欠部１１ａを覆うカバー部材を図示していないが、カバー部材を備えたものとしてもよい。この場合は、配線５同士の接続作業時にはカバー部材を取り外させば、コネクタ５０が切欠部１１ａから露出しているので、配線５を引き出しやすい。また、接続作業後にはカバー部材を取り付ければ、床暖房パネル１の背面を全面平坦面とすることができる。
【００１５】
面状ヒータ３は、電気式のものであれば特に限定されるものではないが、薄型の板体で構成されたものが好ましく、例えば温度が高くなるにつれて電気抵抗が大きくなるＰＴＣ（Positive Temperature Coefficient  正温度係数）の特性を利用したヒータなどを用いることができる。
この場合は、ヒータが自己温度に反応して通電量を自動制御するので、省電力で効率よく暖めを行うことができる。
【００１６】
面状ヒータ３の下方には、複数の真空断熱材４が敷設されるともに凹所２０の長手方向に沿って桟木１０が配設されている。
桟木１０は、パネル材２の凹所２０と裏板１１との間に介在するよう設けられた木質系材料などからなる板体で構成され、凹所２０の短手方向の略中央に且つ長手方向に沿って配設されている。
真空断熱材４は、図１に示すように桟木１０を挟んで両側に分けて複数設けられている。真空断熱材４は、ガラス繊維などからなる繊維系芯材をプラスチックや金属箔ラミネートフィルムなどからなる外被材で真空状態に密封して形成された断熱材である。
これによれば、従来のポリウレタンなどの一般的な断熱材よりも断熱性能が高い床暖房パネル１を構成することができる。
【００１７】
床に敷設される複数の床暖房パネル１は、配線５と配線５とが電気的に接続されて面状ヒータ３に電圧を供給できるように構成されており、その配線５は、配線コード５１と、その先端に設けられたコネクタ５０とを備えている。配線コード５１は、隣り合う床暖房パネルのコネクタ（不図示）と接続する際には収容空間７から引き出して接続をしやすくするため、余長部分を有している。
配線コード５１は、凹所２０内を這うように配線され、開口部６が形成されている端部とは反対側の端部に設けられた横送り配線のコネクタから（不図示）、図１に示すように中央に配された桟木１０に沿って這わされ、収容空間７に引き込まれている。図例のものは真空断熱材４の設置面積を広く確保するため、真空断熱材４の長手方向における桟木１０側下方端部に形成されている空間に配線コード５１を這わせている（図２参照）。
【００１８】
収納空間７は、上述のように凹所２０の一部を構成し開口部６と連通する位置に形成されており、図１の例では、凹所２０内の桟木１０を挟んで開口部６側に形成されている。従って、桟木１０を挟んで開口部６とは反対側の凹所２０内には、その端まで真空断熱材４が敷設されている。
収納空間７とされる箇所には真空断熱材４は敷設されておらず、桟木１０に沿って這わされた上述の配線コード５１の余長部分が出し入れ自在に収容できるようになっている。
収容空間７は、大きく２つの空間を備えており、余長吸収部材８０を有した余長吸収空間８と、開口部６と連通し配線５の余長部分が収容される余長収容空間９とを備えている。
すなわち、余長吸収空間８は桟木１０側に配されており、余長収容空間９は開口部６側に配されており、余長吸収空間８と余長収容空間９とは横方向に隣り合って設けられている。
【００１９】
余長吸収空間８に設けられる余長吸収部材８０は、ガラス繊維やナイロン繊維などからなる不織布、ロックウールやグラスウールなどの繊維系のもの及びポリスチレンフォームなどの発泡系のものなど、公知の断熱性素材で切断可能な断熱材を用いて形成される。
ここでは特に不織布が好適に用いられる。この場合は、余長吸収部材８０を所望の形状にカットして形成しやすいからである。
余長吸収部材８０は、配線コード５１が開口部６側に湾曲するように形成された誘導部８０ｂと、真空断熱材４に隣接して設置される端部８０ａとを備えている。
余長吸収部材８０の端部８０ａと真空断熱材４とは近接して設けられ、真空断熱材４が配された領域を少しでも大きく確保するために平面視において真空断熱材４の短手方向の開口側６端部から余長吸収部材８０が突出したように設けられていることが望ましい。
余長吸収部材８０の形状は、平面視において釣鐘型の略半楕円形状に限定されず、配線コード５１を開口部６方向に略Ｕ字型に湾曲させた後、余長収容空間９へ引き込むことができる形状であればよい。従って余長吸収部材８０の形状は、例えば平面視において多角形状の角張った面を備えたものとしてもよい。
【００２０】
余長吸収空間８は、余長吸収部材８０の誘導部８０ｂと開口部６が形成された立壁部２２との間に配線コード５１を這わせることができるスペースが確保できれば十分であり、できるだけ真空断熱材４の空間を大きく確保できるように構成する。
収容空間７のうち、余長吸収空間８以外の空間は、余長収容空間９とされる。
従って、図１に示すように配線コード５１が開口部６から引き出されない状態においては、余長吸収部材８０の誘導部８０ｂに沿って這わされた配線コード５１の余長部分が余長収容空間９で平面視において略逆Ｓ字状にたわんだ状態で収容される。
【００２１】
次に図３（ａ）及び（ｂ）を参照しながら、出し入れ自在に構成された配線５について説明する。
まず図３（ａ）に示すように配線５が開口部６から引き出されずに収容されている場合は、配線コード５１の余長部分が余長収容空９内一杯に大きく湾曲して撓んだ状態で収容される。このとき、余長吸収部材８０の存在により、配線コード５１は自由に撓むことがなく、その動きは規制される。
すなわち、余長吸収部材８０の誘導部８０ｂに沿って開口部６側に向かって半円弧状に湾曲したのち、余長吸収空間９に引き込まれ、のこりの配線コード５１は余長吸収空間９で真空断熱材４側に向かって半円弧状に湾曲する。そしてコネクタ５０は開口部６から引き出されやすいように切欠部１１ａの位置に納められる。
【００２２】
次に図３（ｂ）に示すように配線５が開口部６から引き出される場合は、コネクタ５０を引っ張りだせば、余長吸収空間９内で撓んだ状態で収容されていた配線コード５１の余長部分をスムーズに引き出すことができる。このとき、配線コード５１は余長吸収部材８０の存在によって上述のようにある程度の規制がなされているため、収容空間７内で絡まることなく、引き出すことができる。従って、スムーズに隣り合う床暖房パネルのコネクタ（不図示）に接続することができる。
【００２３】
以上の構成によれば、配線５を構成する配線コード５１を余長吸収部材８０によって開口部６側に向かって湾曲させた状態で収容することができるので、配線コード５１の余長部分を狭いスペースに効率よく収容することができる。
従って、配線５を収容する収容空間７を一層狭小スペースすることができるので、真空断熱材４を設置するスペースを従来のものより一層広げることができ、断熱効果が向上して床下への熱ロスを低減できる。これにより、床表面温度の低い範囲が狭くなり、ランニングコストの低下も図ることができる。
また上述のように真空断熱材４は外被材で真空状態に密封して形成された断熱材であるので、適宜任意の形状に切断して用いることができないが、この構成によれば、余長吸収部材８０を上述のような形状に切断すればよい。
さらにこの余長吸収部材８０が上述の断熱材で構成されたものとすれば、収容空間７も断熱性を備え、より一層床下への熱ロスの低減に寄与することができる。また余長吸収部材８０によって収容空間７内で配線コード５１の余長部分がからまってしまうことを防ぐことができる。
【００２４】
なお、床暖房パネル１の外形、構造などは上述に限定されず、例えば床暖房パネル１の外形は平面視して略正方形状としてもよい。また真空断熱材４や桟木１０などの設置個数や構成も図例に限定されるものではない。
【符号の説明】
【００２５】
１      床暖房パネル
２      パネル材
２０      凹所
３      面状ヒータ
４      真空断熱材
５      配線
６      開口部
７      収容空間
８      余長吸収空間
８０      余長吸収部材
９      余長収容空間
【図１】
2012026679.tif 000003
【図２】
2012026679.tif 000004
【図３】
2012026679.tif 000005